(57)【要約】【課題】装置構成が簡素でありつつ、装着感を損なうことなく必要な音を確実に伝達可能なアイウェア用アタッチメント、及びこれを備えたアイウェアを提供すること。【解決手段】アタッチメント３０は、アイウェア１０に取り付けて使用される。アタッチメント３０は、アイウェア１０のフレーム２０に取り付けられる本体部３２と、本体部３２をフレーム２０に取り付けることによりアイウェア１０の装着者に対して接触して骨伝導によって音を伝達可能な骨伝導部３４とを備えている。アタッチメント３０は、振動を発生させる振動発生部３６を有し、振動発生部３６の振動に伴う振動音を骨伝導部３４を介して装着者に伝達できる。【選択図】図１
2016036094.tif 000002
【特許請求の範囲】
【請求項１】
アイウェアのフレームに取り付けられる本体部と、
前記本体部を前記フレームに取り付けることにより前記アイウェアの装着者に対して接触して骨伝導によって振動音を伝達可能な振動発生部を含む骨伝導部と、を備えること、
を特徴とするアイウェア用アタッチメント。
【請求項２】
前記骨伝導部により所定のリズムで振動音を発生可能であること、を特徴とする請求項１に記載のアイウェア用アタッチメント。
【請求項３】
更に、他の端末との間で通信可能な通信部を有し、
前記通信部を介して前記他の端末との間でなされる通信に基づいて、前記骨伝導部を介した振動音の伝達制御がなされること、
を特徴とする請求項１又は２に記載のアイウェア用アタッチメント。
【請求項４】
前記本体部が、前記フレームのツルを挿入可能な挿入孔を有し、
前記挿入孔に前記ツルを挿入することにより、前記フレームに対して前記本体部を取り付け可能であること、
を特徴とする請求項１〜３のいずれかに記載のアイウェア用アタッチメント。
【請求項５】
前記本体部が、弾性体によって構成されていること、を特徴とする請求項１〜４のいずれかに記載のアイウェア用アタッチメント。
【請求項６】
請求項１〜５のいずれかに記載のアイウェア用アタッチメントがフレームに取り付けられていることを特徴とするアイウェア。
【発明の詳細な説明】
【技術分野】
【０００１】
本発明は、アイウェアに装着されるアイウェア用アタッチメント及びこれを備えたアイウェアに関する。
【背景技術】
【０００２】
従来、下記特許文献１に開示されているリズム装置や特許文献２に開示されている音出力制御装置のような装置が、一定間隔の繰り返しの動作を行う運動を一定のリズムで行うための音を伝達する補助装置として提供されている。このような補助装置は、マラソン等の運動においてペース配分や運動強度の調整を行うために、有効に利用できる。
【先行技術文献】
【特許文献】
【０００３】
【特許文献１】特開２０１２−４５０７８号公報
【特許文献２】特開２００７−７５１７２号公報
【発明の概要】
【発明が解決しようとする課題】
【０００４】
しかしながら、上記特許文献に開示されているリズム装置等の装置は、構成が大がかりであったり、装着感が良くなかったりする等の問題があり、快適に使用できないという問題がある。また、特許文献１に開示されているリズム装置のように、受信機としてイヤホンを用いた場合には、耳がイヤホンによって閉塞されてしまうことによる違和感や、イヤホンが振動等によって外れてしまうことによる不快感を感じるという問題、音楽等の他の音を聞くことができないという問題等がある。
【０００５】
かかる課題を解決すべく本発明者らが鋭意検討したところ、眼鏡やゴーグルなどのアイウェアに対して音を伝達可能な装着可能なアタッチメントやこれを備えたアイウェアを提供できれば、上述した課題を解決できるのではないかとの知見に至った。
【０００６】
そこで本発明は、上述した知見に基づき、装置構成が簡素でありつつ、装着感を損なうことなく必要な音を確実に伝達可能なアイウェア用アタッチメント、及びこれを備えたアイウェアの提供を目的とした。
【課題を解決するための手段】
【０００７】
上述した課題を解決すべく提供される本発明は、アイウェアに取り付けて使用されるアイウェア用アタッチメントであって、アイウェアのフレームに取り付けられる本体部と、前記本体部を前記フレームに取り付けることにより前記アイウェアの装着者に対して接触して骨伝導によって振動音を伝達可能な振動発生部を含む骨伝導部と、を備えること、を特徴とするものである。
【０００８】
本発明のアイウェア用アタッチメントは、フレームに本体部を取り付けておいたアイウェアを装着することにより、骨伝導部が装着者に対して接触し、骨伝導により振動音（即ち骨導音）を伝達可能な状態になる。このように、本発明のアイウェア用アタッチメントは、装置構成が簡素でありながら、装着感を損なうことなく必要な振動音を確実に伝達させることが可能となる。
【０００９】
また、本発明のアイウェア用アタッチメントは、イヤホンのように耳を閉塞するものではないため、装着時の違和感を最小限に抑制できると共に、音楽等の他の振動音を耳で直接楽しむことができる。さらに、本発明のアイウェア用アタッチメントは、アイウェアのフレームに装着して使用するものであるため、従来のイヤホンのように振動等によって外れてしまうことを抑制できる。
【００１０】
上述した本発明のアイウェア用アタッチメントは、振動を発生させる振動発生部を有し、前記振動発生部の振動に伴う振動音を前記骨伝導部を介して前記装着者に伝達可能なものであってもよい。かかる構成によれば、振動発生部において発生した振動音を装着者に対して確実に伝達させることができる。
【００１１】
また、上述した本発明のアイウェア用アタッチメントは、前記振動発生部により所定のリズムで振動音を発生可能なものであってもよい。かかる構成によれば、振動発生部において発生した振動音を基準として運動や音楽演奏等のペースメーカーとして利用することができる。
【００１２】
上述した本発明のアイウェア用アタッチメントは、他の端末との間で通信可能な通信部を有し、前記通信部を介して前記他の端末との間でなされる通信に基づいて、前記骨伝導部を介した音の伝達制御がなされるものとすることも可能である。かかる構成によれば、他の端末による制御の下で音の伝達制御を実施可能となる。これにより、アイウェア用アタッチメントの使用環境や状況に応じて音の伝達状況を最適化することができる。例えば、他の音源による音や演奏音と同期させて、自らの運動や音楽演奏等のペースメーカーとして利用することができる。
【００１３】
上述した本発明のアイウェア用アタッチメントは、前記本体部が、前記フレームのツルを挿入可能な挿入孔を有し、前記挿入孔に前記ツルを挿入することにより、前記フレームに対して前記本体部を取り付け可能なものであることが好ましい。かかる構成によれば、アイウェア用アタッチメントを取り付け作業を大幅に簡素化することができる。また、上述したような取付構造を採用することにより、アイウェア用アタッチメントがフレームから脱落する可能性を最小限に抑制できる。
【００１４】
上述した本発明のアイウェア用アタッチメントは、前記本体部が、弾性体によって構成されたものであることが望ましい。上述したように本体部を弾性体によって構成することにより、アイウェア用アタッチメントとフレームとの摩擦抵抗を大きくすることができる。
【００１５】
これにより、振動等によってアイウェア用アタッチメントが脱落する可能性をさらに低減することができる。また、本体部を弾性体とすることにより、フレームと骨伝導部との間でのノイズの伝達を最小限に抑制できる。これにより、音の伝達品質の向上を図りうる。
【００１６】
また、本発明のアイウェアは、上述した本発明のアイウェア用アタッチメントがフレームに取り付けられたものである。かかる構成とすることにより、装置構成が簡素でありつつ、装着感を損なうことなく必要な音を確実に伝達可能な機能を備えたアイウェアを提供することができる。
【発明の効果】
【００１７】
本発明によれば、装置構成が簡素でありつつ、装着感を損なうことなく必要な音を確実に伝達可能なアイウェア用アタッチメント、及びこれを備えたアイウェアを提供できる。
【図面の簡単な説明】
【００１８】
【図１】本発明の一実施形態に係るアイウェアを示した斜視図である。
【図２】本発明の一実施形態に係るアタッチメントの構成を示したブロック図である。
【発明を実施するための形態】
【００１９】
以下、本発明の一実施形態に係るアイウェア１０、及びアイウェア用アタッチメント３０（以下、単に「アタッチメント３０」とも称す）について、図面を参照しつつ詳細に説明する。なお、以下に示す実施形態は、本発明の一実施形態を示したものに過ぎず、本発明が図示されるものに限られないことはいうまでもない。
【００２０】
また、以下の説明では、同一又は相当部分には同一符号を付し、重複する説明は省略することもある。図面は、本考案を概念的に説明するためのものであるから、理解容易のために、必要に応じて寸法、比又は数を誇張又は簡略化して表している場合もある。
【００２１】
図１に示すように、本実施形態のアイウェア１０は、フレーム２０に加え、アタッチメント３０を備えている点に特徴を有する。以下、フレーム２０について概略を説明した後に、アイウェア１０の特徴的構成であるアタッチメント３０について詳細に説明する。
【００２２】
≪フレーム２０について≫
フレーム２０は、レンズＬを保持しつつ、使用者の顔に装着されるものである。フレーム２０は、リム２１や、ヨロイ２２、ブリッジ２３、蝶番２４、テンプル２５などのパーツの組合せによって構成されている。
【００２３】
リム２１は、レンズＬを取り囲み保持するための縁を構成する部分であり、左右一対とされている。また、ヨロイ２２は、リム２１と蝶番２４とを繋ぐ部分である。ブリッジ２３は、フレーム２０を正面視した際に略中央に位置し、左右のリム２１，２１を繋ぐ部分である。蝶番２４は、リム２１とテンプル２５との間に位置し、リム２１に対してテンプル２５を開閉可能に接続している。また、テンプル２５は、いわゆる「ツル」に相当し、使用者の顔の側面に沿って配される部分である。
【００２４】
≪アタッチメント３０について≫
アタッチメント３０は、アイウェア１０に取り付けて使用されるものである。具体的には、アタッチメント３０は、フレーム２０を構成するテンプル２５に取り付けた状態で使用される。アタッチメント３０は、本体部３２や、骨伝導部３４、振動発生部３６、通信部３８、制御部４０、電源４２等を備えている。
【００２５】
本体部３２は、ゴム等の弾性体によって構成されたものである。本体部３２には、フレーム２０のツルをなすテンプル２５を挿入可能な挿入孔５２が設けられている。本体部３２の内部には、振動発生部３６や通信部３８、制御部４０、電源４２等を構成する部材が内蔵されている。
【００２６】
骨伝導部３４は、骨伝導によって音を伝達可能なものであり、上述した本体部３２に対して一体的に設けられている。骨伝導部３４は、使用者がアイウェア１０を装着した際に、使用者の耳近傍に接触する。骨伝導部３４は、制御部４０に対して接続されている。
【００２７】
振動発生部３６は、振動を発生させるためのアクチュエータを備えている。振動発生部３６は、制御部４０から出力される制御信号に基づいて動作可能とされている。
【００２８】
通信部３８は、アタッチメント３０を他の端末との間で通信可能とするために設けられたものである。具体的には、通信部３８は、スマートフォンや携帯電話、音楽プレイヤー、ゲーム機等の他の端末との通信を実現するためのものである。通信部３８は、有線接続により他の端末と通信可能とするものであっても良いが、使用時の利便性等を考慮すると無線により接続可能なものであることが望ましい。
【００２９】
制御部４０は、上述した骨伝導部３４や振動発生部３６、通信部３８等に対して接続されており、これらの動作制御を行うためのものである。制御部４０は、通信部３８を介してスマートフォン等の他の機器から受信した信号に基づき制御信号を生成し、骨伝導部３４や振動発生部３６等に出力できる。また必要に応じて、骨伝導部３４や振動発生部３６から受信した信号を処理し、通信部３８を介して他の機器側に出力することも可能である。
【００３０】
電源４２は、骨伝導部３４や振動発生部３６、通信部３８、制御部４０に対して給電するためのものである。電源４２としては、例えばボタン型電池等の一次電池や、二次電池等の小型のものが好適に利用可能である。
【００３１】
アタッチメント３０を取り付けたアイウェア１０を使用者が装着することで、アタッチメント３０が使用可能な状態になる。アタッチメント３０は、振動発生部３６において振動を発生させることにより、その振動音を骨伝導部３４を介して装着者に伝達させることができる。
【００３２】
また、制御部４０の制御の下、振動発生部３６における振動の発生リズムを適宜調整することができる。このようにして一定のリズムで振動を発生させることにより、例えばマラソン等の運動や音楽演奏等のペースメーカーとして利用することができる。
【００３３】
また、通信部３８を介して他の装置から音楽や音声等の音データを受信した場合には、制御部４０においてこの音データに基づいて骨伝導部３４に制御信号を出力することができる。これにより、使用者には、骨伝導により音楽や音声が伝達される。もちろん、アタッチメント３０にスピーカを内臓させて、骨伝導によらない気導音もともに（一体的に）発生させる構成を採用してもよい。これによれば、骨導音と気導音とによるステレオ効果を享受することもできる。
【００３４】
上述したアタッチメント３０は、装置構成が簡素でありながら、装着感を損なうことなく必要な音を確実に伝達させることが可能となる。また、アタッチメント３０は、イヤホンのように耳を閉塞するものではないため、装着時の違和感を最小限に抑制できると共に、音楽等の他の音を骨伝導で直接楽しむことができる。さらに、アタッチメント３０は、アイウェア１０のフレーム２０に装着して使用するものであるため、イヤホンを用いた場合のように振動等によって外れることもなく、快適に使用できる。
【００３５】
本実施形態のアタッチメント３０は、他の端末との間で通信可能な通信部３８を有し、通信部３８を介して他の端末との間でなされる通信に基づいて、骨伝導部３４を介した音の伝達制御がなされるものとすることも可能である。そのため、アタッチメント３０は、他の端末による制御の下で音の伝達制御を実施可能となる。具体的には、スマートフォンにインストールしたアプリ等により、アタッチメント３０の動作を制御することができる。
【００３６】
上述したアタッチメント３０は、本体部３２に設けられた挿入孔５２にフレーム２０のテンプル２５（ツル）を挿入することにより、フレーム２０に装着可能な、極めてシンプルな構成とされている。また、アタッチメント３０は、アイウェア１０のテンプル２５を挿入して使用するものであることに加え、本体部３２が弾性体によって構成されており、摩擦抵抗が大きい。そのため、アタッチメント３０は、運動等によって振動が伝わる状況下で使用されたとしても脱落しにくい。
【００３７】
また、アタッチメント３０の本体部３２を弾性体とすることにより、フレーム２０と骨伝導部３４との間でのノイズの伝達を最小限に抑制できる。従って、アタッチメント３０においては、音をクリアに伝達することができる。
【００３８】
なお、アタッチメント３０は、アイウェア１０の両方のテンプルに装着することも可能であり、これによれば左右からの骨導音及び／又は気導音のステレオ効果を享受することができる。
【産業上の利用可能性】
【００３９】
本発明は、メガネやサングラス、ゴーグル等の様々なアイウェアにおいて利用することができる。
【符号の説明】
【００４０】
１０  アイウェア、
２０  フレーム、
３０  アイウェア用アタッチメント、
３２  本体部、
３４  骨伝導部、
３６  振動発生部、
３８  通信部、
５２  挿入孔。
【図１】
2016036094.tif 000003
【図２】
2016036094.tif 000004